(57)【要約】【課題】印刷終了後、複合機に装着されて放置されている携帯型メディアが第３者に持ち去られた場合に、格納されているデータが第３者に不正使用されるのを防止できるようにする。【解決手段】画像形成装置は、携帯型記録媒体が接続されるメディア装着部１０４と、メディア装着部１０４への携帯型記録媒体の接続および接続の解除を検出する接続検出部と、携帯型記録媒体に格納されている情報に基づいて印刷を行うプリンタ部４０２とを備える。さらに、携帯型記録媒体に格納されているデータが使用されるのを防止する記録媒体保護処理を行うメディア保護処理部５０１と、プリンタ部４０２による印刷の終了後、メディア装着部１０４に携帯型記録媒体が所定時間接続されているのが検出された場合に、メディア保護処理部５０１に記録媒体保護処理を行わせる制御部とを備える。【選択図】図５
2010166490.tif 000002
【特許請求の範囲】
【請求項１】
携帯型記録媒体が接続される記録媒体接続手段と、前記記録媒体接続手段への携帯型記録媒体の接続および接続の解除を検出する接続検出部と、前記記録媒体接続手段に接続された携帯型記録媒体に格納されている情報に基づいて印刷を行う印刷手段とを備えている画像形成装置において、
前記携帯型記録媒体に格納されている情報が使用されるのを防止する記録媒体保護処理を行う記録媒体保護処理部と、
前記印刷手段による印刷の終了後、前記記録媒体接続手段に前記携帯型記録媒体が所定時間接続されているのを前記接続検出部にて検出された場合に、前記記録媒体保護処理部に前記記録媒体保護処理を行わせる制御部とを備えていることを特徴とする画像形成装置。
【請求項２】
前記記録媒体保護処理部は、前記記録媒体保護処理として、前記携帯型記録媒体に格納されている情報を暗号化する処理を行うことを特徴とする請求項１に記載の画像形成装置。
【請求項３】
情報記憶手段を備え、
前記記録媒体保護処理部は、前記記録媒体保護処理として、前記携帯型記録媒体に格納されている情報を、前記情報記憶手段へ移動させ、かつ前記携帯型記録媒体から消去する処理を行うことを特徴とする請求項１に記載の画像形成装置。
【請求項４】
前記記録媒体保護処理部は、前記記録媒体保護処理として、前記携帯型記録媒体に格納されている情報へのアクセスを禁止する処理を行うことを特徴とする請求項１に記載の画像形成装置。
【請求項５】
前記記録媒体保護処理部は、前記記録媒体保護処理として、さらに、前記携帯型記録媒体から前記情報記憶手段へ移動させた情報を暗号化する処理を行うことを特徴とする請求項３に記載の画像形成装置。
【請求項６】
情報を表示する情報表示手段を備え、
前記制御部は、前記記録媒体保護処理部により前記記録媒体保護処理が行われた場合に、その旨を示すメッセージを前記情報表示手段に表示させることを特徴とする請求項１から５のいずれか１項に記載の画像形成装置。
【請求項７】
外部装置と通信し、情報の送受信を行う送受信手段を有し、
前記制御部は、前記記録媒体保護処理部により前記記録媒体保護処理が行われた場合に、その旨を示すメッセージを送受信手段により前記外部装置に送信させることを特徴とする請求項１から５のいずれか１項に記載の画像形成装置。
【請求項８】
情報を表示する情報表示手段を備え、
前記制御部は、前記記録媒体保護処理部に前記記録媒体保護処理を行わせる場合に、前記記録媒体保護処理部により前記記録媒体保護処理が行われる前に、その旨を示すメッセージを前記情報表示手段に表示させることを特徴とする請求項１から５のいずれか１項に記載の画像形成装置。
【請求項９】
外部装置と通信し、情報の送受信を行う送受信手段を有し、
前記制御部は、前記記録媒体保護処理部に前記記録媒体保護処理を行わせる場合に、前記記録媒体保護処理部により前記記録媒体保護処理が行われる前に、その旨を示すメッセージを送受信手段により前記外部装置に送信させることを特徴とする請求項１から５のいずれか１項に記載の画像形成装置。
【請求項１０】
前記記録媒体保護処理部は、前記記録媒体保護処理を解除し、前記記録媒体保護処理が行われる前の状態に戻す復帰処理を行うことができ、
前記制御部は、前記記録媒体保護処理を解除する旨の入力指示を受けた場合に、前記記録媒体保護処理部に前記復帰処理を行わせることを特徴とする請求項１から５のいずれか１項に記載の画像形成装置。
【請求項１１】
請求項１から１０のいずれか１項に記載の画像形成装置の前記の各部としてコンピュータを機能させるためのプログラム。
【請求項１２】
請求項１１に記載のプログラムを記録したコンピュータ読み取り可能な記録媒体。
【発明の詳細な説明】
【技術分野】
【０００１】
本発明は、携帯型記録媒体を例えば挿入スロットに挿入して接続でき、携帯型記録媒体に格納されている情報に基づいて印刷を行う画像形成装置、プログラムおよび記録媒体に関するものである。
【背景技術】
【０００２】
近年、携帯可能な記録媒体（以下、携帯型メディアと称する）に格納されている情報を処理するサービスが普及している。例えば、デジタルカメラにより撮影して取得した画像データは携帯型メディアに格納され、この携帯型メディアを、コンビニエンスストア等の店舗に設置された複合機（画像形成装置）に装着し、複合機にて携帯型メディアに格納されている画像データを読み出して印刷するようなサービスである。
【０００３】
この場合、携帯型メディアに格納されている画像データは、複合機に設けられた表示装置に表示され、印刷を希望する画像データを上記表示装置上においてユーザが選択する。また、ユーザの操作性を向上させるために、複合機では、メディア着脱のタイミングの指示、印刷すべき画像データの選択の指示、印刷開始の指示等の操作情報（ガイダンス画面）を上記表示装置に順次表示する。特許文献１には、上記のような表示装置として、複合機の傍に別途大型表示装置を設け、この大型表示装置に上記ガイダンス表示を行うものが開示されている。
【０００４】
一方、携帯型メディアが上記複合機に挿入されて装着された後、携帯型メディア内の情報を上記複合機に転送している間に、ユーザにより携帯型メディアが上記複合機から抜き取られると、画像データが破壊されてしまう可能性がある。そこで、特許文献２には、携帯型メディアへのアクセス中において携帯型メディアを保護することができるメモリカードの保護装置が提案されている。
【先行技術文献】
【特許文献】
【０００５】
【特許文献１】特開２０００−１３２０１０号（平成１２年５月１２日公開）
【特許文献２】特開２０００−１１３６６３号（平成１２年４月２１日公開）
【発明の概要】
【発明が解決しようとする課題】
【０００６】
近年、個人情報の保護が重要になっている反面、職場またはコンビニエンスストア等に設定されている複合機は、一つの装置を複数のユーザが使用するようになっている。したがって、複合機に装着されている携帯型メディアについては、だれでも容易に複合機からの抜き取りが可能である。このため、携帯型メディアが複合機に装着された状態で放置されている状況下では、携帯型メディアに記憶されているデータが携帯型メディアごと、無断で第３者に持ち去られてしまい、第３者により不正使用されるという問題がある。
【０００７】
したがって、本発明は、複合機に装着されて放置されている携帯型メディアが第３者に持ち去られてしまった場合でも、携帯型メディアに記憶されているデータが第３者により不正使用されるのを防止することができる画像形成装置、プログラムおよび記録媒体の提供を目的としている。
【課題を解決するための手段】
【０００８】
上記の課題を解決するために、本発明の画像形成装置は、携帯型記録媒体が接続される記録媒体接続手段と、前記記録媒体接続手段への携帯型記録媒体の接続および接続の解除を検出する接続検出部と、前記記録媒体接続手段に接続された携帯型記録媒体に格納されている情報に基づいて印刷を行う印刷手段とを備えている画像形成装置において、前記携帯型記録媒体に格納されている情報が使用されるのを防止する記録媒体保護処理を行う記録媒体保護処理部と、前記印刷手段による印刷の終了後、前記記録媒体接続手段に前記携帯型記録媒体が所定時間接続されているのを前記接続検出部にて検出された場合に、前記記録媒体保護処理部に前記記録媒体保護処理を行わせる制御部とを備えていることを特徴としている。
【０００９】
上記の構成によれば、印刷の終了後、記録媒体接続手段に携帯型記録媒体が所定時間接続されている場合には、携帯型記録媒体に格納されている情報が使用されるのを防止する記録媒体保護処理が行われる。
【００１０】
したがって、印刷の終了後、画像形成装置に接続された状態で放置されている携帯型記録媒体が、第３者に無断で持ち去られた場合であっても、携帯型記録媒体に格納されている情報が第３者により不正使用される事態を防止することができる。
【００１１】
上記の画像形成装置において、前記記録媒体保護処理部は、前記記録媒体保護処理として、前記携帯型記録媒体に格納されている情報を暗号化する処理を行う構成であってもよい。
【００１２】
上記の構成によれば、記録媒体保護処理として、携帯型記録媒体に格納されている情報が暗号化されるので、印刷の終了後、画像形成装置に接続された状態で放置されている携帯型記録媒体が、第３者に無断で持ち去られた場合であっても、携帯型記録媒体に格納されている情報が第３者により不正使用される事態を防止することができる。
【００１３】
上記の画像形成装置は、情報記憶手段を備え、前記記録媒体保護処理部は、前記記録媒体保護処理として、前記携帯型記録媒体に格納されている情報を、前記情報記憶手段へ移動させ、かつ前記携帯型記録媒体から消去する処理を行う構成であってもよい。
【００１４】
上記の構成によれば、記録媒体保護処理として、携帯型記録媒体に格納されている情報を情報処理装置の情報記憶手段に移動させ、携帯型記録媒体から消去するので、印刷の終了後、画像形成装置に接続された状態で放置されている携帯型記録媒体が、第３者に無断で持ち去られた場合であっても、携帯型記録媒体に格納されている情報が第３者により不正使用される事態を防止することができる。
【００１５】
上記の画像形成装置において、前記記録媒体保護処理部は、前記記録媒体保護処理として、前記携帯型記録媒体に格納されている情報へのアクセスを禁止する処理を行う構成であってもよい。
【００１６】
上記の構成によれば、記録媒体保護処理として、携帯型記録媒体に格納されている情報へのアクセスを禁止するので、印刷の終了後、画像形成装置に接続された状態で放置されている携帯型記録媒体が、第３者に無断で持ち去られた場合であっても、携帯型記録媒体に格納されている情報が第３者により不正使用される事態を防止することができる。
【００１７】
上記の画像形成装置において、前記記録媒体保護処理部は、前記記録媒体保護処理として、さらに、前記携帯型記録媒体から前記情報記憶手段へ移動させた情報を暗号化する処理を行う構成であってもよい。
【００１８】
上記の構成によれば、記録媒体保護処理として、携帯型記録媒体に格納されている情報を画像形成装置の情報記憶手段に移動させ、携帯型記録媒体から消去するのに加えて、情報記憶手段へ移動させた情報を暗号化する。したがって、印刷の終了後、画像形成装置に接続された状態で放置されている携帯型記録媒体が、第３者に無断で持ち去られた場合であっても、携帯型記録媒体に格納されている情報が第３者により不正使用される事態を防止することができる。さらに、情報記憶手段へ移動された情報が、画像形成装置を操作する第３者によって不正使用される事態も防止することができる。これにより、印刷の終了後、画像形成装置に接続された状態で放置されている状態の携帯型記録媒体に格納されている情報の不正使用に対する保護機能をさらに高めることができる。
【００１９】
上記の画像形成装置は、情報を表示する情報表示手段を備え、前記制御部は、前記記録媒体保護処理部により前記記録媒体保護処理が行われた場合に、その旨を示すメッセージを前記情報表示手段に表示させる構成であってもよい。
【００２０】
上記の構成によれば、記録媒体保護処理部により記録媒体保護処理が行われた場合には、その旨を示すメッセージが情報表示手段に表示される。したがって、携帯型記録媒体に格納されている情報に基づいて画像形成装置により印刷を行うために、携帯型記録媒体を記録媒体接続手段に接続させたユーザは、その携帯型記録媒体に対して記録媒体保護処理が行われたことを情報表示手段の表示によって知ることができる。
【００２１】
上記の画像形成装置は、外部装置と通信し、情報の送受信を行う送受信手段を有し、前記制御部は、前記記録媒体保護処理部により前記記録媒体保護処理が行われた場合に、その旨を示すメッセージを送受信手段により前記外部装置に送信させる構成であってもよい。
【００２２】
上記の構成によれば、記録媒体保護処理部により記録媒体保護処理が行われた場合には、その旨を示すメッセージが画像形成装置から外部装置に送信される。この場合、外部装置をユーザが所持する携帯端末装置やパーソナルコンピュータとしておけば、携帯型記録媒体に格納されている情報に基づいて画像形成装置により印刷を行うために、ユーザが、携帯型記録媒体を記録媒体接続手段に接続させ、印刷の終了後、携帯型記録媒体を放置した状態で画像形成装置から離れた場合、ユーザは、携帯型記録媒体が放置されていること、およびその携帯型記録媒体に対して記録媒体保護処理が行われたことを、外部装置（携帯端末装置やパーソナルコンピュータ）の表示によって知ることができる。
【００２３】
上記の画像形成装置は、情報を表示する情報表示手段を備え、前記制御部は、前記記録媒体保護処理部に前記記録媒体保護処理を行わせる場合に、前記記録媒体保護処理部により前記記録媒体保護処理が行われる前に、その旨を示すメッセージを前記情報表示手段に表示させる構成であってもよい。
【００２４】
上記の構成によれば、記録媒体保護処理部により記録媒体保護処理が行わる前には、その旨を示すメッセージが情報表示手段に表示される。したがって、携帯型記録媒体に格納されている情報に基づいて画像形成装置により印刷を行うために、携帯型記録媒体を記録媒体接続手段に接続させたユーザに対し、その携帯型記録媒体に対して記録媒体保護処理が行われる旨の注意を促すことができる。
【００２５】
上記の画像形成装置は、外部装置と通信し、情報の送受信を行う送受信手段を有し、前記制御部は、前記記録媒体保護処理部に前記記録媒体保護処理を行わせる場合に、前記記録媒体保護処理部により前記記録媒体保護処理が行われる前に、その旨を示すメッセージを送受信手段により前記外部装置に送信させる構成であってもよい。
【００２６】
上記の構成によれば、記録媒体保護処理部により記録媒体保護処理が行われる前には、その旨を示すメッセージが情報処理装置から外部装置に送信される。この場合、外部装置をユーザが所持する携帯端末装置やパーソナルコンピュータとしておけば、携帯型記録媒体に格納されている情報に基づいて画像形成装置により印刷を行うために、ユーザが、携帯型記録媒体を記録媒体接続手段に接続させた後、携帯型記録媒体を放置した状態で画像形成装置から離れた場合、そのユーザに対して、携帯型記録媒体が放置されていること、およびその携帯型記録媒体に対して記録媒体保護処理が行われることを外部装置（携帯端末装置やパーソナルコンピュータ）の表示によって通知し、ユーザの注意を促すことができる。
【００２７】
上記の画像形成装置において、前記記録媒体保護処理部は、前記記録媒体保護処理を解除し、前記記録媒体保護処理が行われる前の状態に戻す復帰処理を行うことができ、前記制御部は、前記記録媒体保護処理を解除する旨の入力指示を受けた場合に、前記記録媒体保護処理部に前記復帰処理を行わせる構成であってもよい。
【００２８】
上記の構成によれば、ユーザは、携帯型記録媒体に対して記録媒体保護処理が行われた場合に、画像形成装置に対して記録媒体保護処理を解除する旨の入力指示を行うことにより、記録媒体保護処理を解除させて、記録媒体保護処理が行われる前の状態に復帰させることができる。
【発明の効果】
【００２９】
以上のように、本発明の構成によれば、印刷の終了後、画像形成装置に接続された状態で放置されている携帯型記録媒体に対しては、携帯型記録媒体に格納されている情報が使用されるのを防止する記録媒体保護処理が行われるので、その携帯型記録媒体が第３者により無断で去られた場合であっても、携帯型記録媒体に格納されている情報が第３者により不正使用される事態を防止することができる。
【図面の簡単な説明】
【００３０】
【図１】本実施の形態の画像形成装置としての複合機の外観を示す斜視図である。
【図２】図１に示した第２表示・操作部およびメディア装着部を拡大して示す斜視図である。
【図３】図２において、メディアカバーを開放した状態を示す第２表示・操作部の斜視図である。
【図４】図４（ａ）は、図３に示したメディア装着部が備えるカバーロック装置のレバー挿入凹部を有するメディアカバーの側面図、図４（ｂ）は、上記カバーロック装置の構成を示す模式図である。
【図５】図１に示した複合機の要部の構成を示す概略のブロック図である。
【図６】図３に示したメディア装着部に装着された携帯型メディア内のデータに基づいて印刷が行われる場合の複合機の動作を示すフローチャートである。
【図７】図５に示した第２表示・操作部において表示されるメディア受付画面を示す説明図である。
【図８】図５に示した第２表示・操作部における、メディア装着部に装着された携帯型メディアが格納する画像データのサムネイル画像の表示状態を示す説明図である。
【図９】図５に示した制御部およびメディア保護処理部の動作に注目した複合機の動作を示すフローチャートである。
【図１０】図９に示したＳ２７のメディア保護処理としてデータ暗号化処理を行う場合の図５に示したメディア保護処理部の動作を示すフローチャートである。
【図１１】図１０に示したＳ４２の処理における図５に示した第２表示・操作部での表示を示す説明図である。
【図１２】図１０のＳ４１のデータ暗号化処理に先立ち、ユーザに対してその旨を通知する場合の図５に示した第２表示・操作部での表示を示す説明図である。
【図１３】図９に示したＳ２７のメディア保護処理としてデータ移動処理を行う場合の図５に示したメディア保護処理部の動作を示すフローチャートである。
【図１４】図１３に示したＳ５３の処理における図５に示した第２表示・操作部での表示を示す説明図である。
【図１５】図１３に示したＳ５１のデータ移動処理に先立ち、ユーザに対してその旨を通知する場合の図５に示した第２表示・操作部での表示を示す説明図である。
【図１６】図９に示したＳ２７のメディア保護処理としてアクセスロック処理を行う場合の図５に示したメディア保護処理部の動作を示すフローチャートである。
【図１７】図１６に示したＳ６２の処理における図５に示した第２表示・操作部での表示を示す説明図である。
【図１８】図１６に示したＳ６１のアクセスロック処理に先立ち、ユーザに対してその旨を通知する場合の図５に示した第２表示・操作部での表示を示す説明図である。
【図１９】図５に示した複合機が有する管理情報を示す説明図である。
【図２０】図５に示した制御部およびメディア保護処理部の動作に注目した複合機の動作の他の例を示すフローチャートである。
【発明を実施するための形態】
【００３１】
本発明の実施の形態を図面に基づいて以下に説明する。
図１は、例えばコンビニエンスストアに設置される、本実施の形態の画像形成装置としての複合機１００の外観を示す斜視図である。複合機１００は、スキャナ部１０５にて読み取った原稿を印刷する機能（コピー機能）、メディア装着部（記録媒体接続手段）１０４に装着されたメディアに格納されているデータを印刷する機能（プリント機能）を有している。
【００３２】
図１には、複合機１００が備える各部のうち、操作部（入力操作手段）１０１、第１表示・操作部１０２、第２表示・操作部１０３、メディア装着部１０４およびスキャナ部１０５が示されている。
【００３３】
操作部１０１は、ユーザが複合機１００に対して指示を入力するための、プリントキー等を含む複数の入力キーを備えている。第１表示・操作部１０２は、複合機１００の筐体と一体に設けられており、主にコピー機能の詳細な表示や設定を行うためのものである。第２表示・操作部１０３は、タッチパネル方式の表示部であり、メディア装着部１０４に装着された各種メディアに格納されている画像データに対するプリント機能の表示、それら画像データのサムネイル表示、並びに上記プリント機能の設定を行うためのものである。メディア装着部１０４は、複合機１００にて処理する画像データ等の情報を格納した各種メディアが装着される、すなわち接続される部分である。
【００３４】
図２は、図１に示した第２表示・操作部１０３およびメディア装着部１０４を拡大して示す斜視図である。第２表示・操作部１０３はタッチパネル方式となっている。メディア装着部１０４は、上下方向に回転して開閉動作を行うメディアカバー３０２を有する。携帯型メディア（携帯型記録媒体）の装着は、メディアカバー３０２を開放した状態で行われる。
【００３５】
図３は、図２において、メディアカバー３０２を開放した状態を示す第２表示・操作部１０３の斜視図である。図２に示すように、メディア装着部１０４は、形状および大きさが異なる携帯型メディアに対応した、複数のメディア挿入スロット（記録媒体挿入部）３０１を有する。また、メディア装着部１０４は、図４に示すように、メディアカバー３０２の開閉をロックするカバーロック装置３０３を備えている。
【００３６】
図４（ａ）は、カバーロック装置３０３のレバー挿入凹部３１１を有するメディアカバー３０２の側面図である。図４（ｂ）は、カバーロック装置３０３の構成を示す模式図である。図４（ｂ）に示すように、カバーロック装置３０３は、ロックレバー３１２、ソレノイド３１３およびばね３１４を備えている。
【００３７】
ロックレバー３１２は、軸３１２ａを中心に回転可能であり、ソレノイド３１３により駆動されて回転し、先端部がメディアカバー３０２のレバー挿入凹部３１１に挿入される。これがメディアカバー３０２のロック状態であり、メディアカバー３０２は閉じた状態に保持される。一方、ソレノイド３１３の駆動が解除されると、ロックレバー３１２は、ばね３１４に駆動されて逆方向に回転し、先端部がレバー挿入凹部３１１から抜き出される。これがメディアカバー３０２のロック解除状態であり、メディアカバー３０２は開放可能となる。
【００３８】
上述したカバーロック装置３０３は、メディアからの画像データの読取動作中に、ユーザがメディアを取り出すのを禁止するためのものである。
【００３９】
図５は図１に示した複合機１００の要部の構成を示す概略のブロック図である。複合機１００は、複合機１００全体を制御する主制御部（制御部、情報処理部、接続検出部）４０１を備える。主制御部４０１には、プリンタ部４０２、前記のスキャナ部１０５、操作部１０１、第１表示・操作部１０２、第２表示・操作部１０３、メディア装着部１０４、メディア保護処理部（記録媒体保護処理部）５０１、データ記憶部（情報記憶手段）５０２および送受信部（送受信手段）５０３が接続されている。
【００４０】
主制御部４０１は、メディア装着部１０４と通信し、メディア装着部１０４のいずれかのメディア挿入スロット３０１に携帯型メディアが挿入された場合、およびメディア挿入スロット３０１から携帯型メディアが抜脱された場合、その状態を検出する。これは、主制御部４０１における接続検出部としての動作である。また、主制御部４０１は、携帯型メディアに格納されている画像データを読み出して処理する。例えば、画像データをプリンタ部４０２にて印刷する場合、画像データに対して印刷に適した画像処理を行う。これは、主制御部４０１における情報処理部としての機能である。また、主制御部４０１は、後述のように、制御部の動作としてメディア保護処理部５０１にメディア保護処理（記録媒体保護処理）を行わせる。
【００４１】
プリンタ部４０２は、画像データに基づいて例えば電子写真方式により印刷を行う周知の構成のものである。
【００４２】
メディア装着部１０４は、前記カバーロック装置３０３およびカバー開閉検出部３０４を含んでいる。カバー開閉検出部３０４は、メディアカバー３０２の閉じ状態および開放状態を検出するものである。このカバー開閉検出部３０４は、メディアカバー３０２の閉じ状態あるいは開放状態を検出するスイッチもしくは各種センサを使用した周知の技術により構成可能である。
【００４３】
メディア保護処理部５０１は、複合機１００のメディア装着部１０４に装着された携帯型メディアを第３者がメディア装着部１０４から抜き取って持ち去った場合に、第３者により携帯型メディアに格納をされているデータが不正使用されるのを防止するための処理、すなわちメディア保護処理を行う。このメディア保護処理は、例えば携帯型メディアに格納されているデータについて第３者による使用を不可とする処理である。データ記憶部５０２は、メディア保護処理部５０１あるいは主制御部４０１からの指示に基づいて、画像データ等、各種データを記憶するものである。
【００４４】
送受信部５０３は、有線あるいは無線により外部装置５０４と通信し、外部装置５０４とデータ等のやり取りを行う。外部装置５０４は、例えばユーザが所持する携帯端末装置やパーソナルコンピュータである。
【００４５】
また、上記携帯型メディアとしては、例えばｍｉｎｉＳＤカード（第２の携帯型記録媒体）およびｍｉｃｒｏＳＤカード（第２の携帯型記録媒体）、並びにメモリースティック（登録商標）デュオ／ｐｒｏデュオ（第２の携帯型記録媒体）およびメモリースティック（登録商標）マイクロ（第２の携帯型記録媒体）や、ＵＳＢメモリを用いることができる。さらに、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などのメディアを用いることができる。
【００４６】
上記の構成において、複合機１００の動作について以下に説明する。
図６は、メディア装着部１０４に装着された携帯型メディアが記憶している画像データに基づいて印刷処理を行う場合の複合機１００の動作を示すフローチャートである。
【００４７】
携帯型メディアに記憶されているデータ、例えば画像データに基づいて複合機１００が印刷を行う場合、主制御部４０１は、第２表示・操作部１０３にメディア受付画面を表示させる。図７は、第２表示・操作部１０３において表示されるメディア受付画面を示す説明図である。このメディア受付画面では、各種の携帯型メディアについての選択画面が表示されている。
【００４８】
主制御部４０１では、第２表示・操作部１０３に表示されたメディア受付画面において、何れかの携帯型メディアが選択されると（Ｓ１）、メディア装着部１０４の、選択された携帯型メディアに対応するメディア挿入スロット３０１に対して携帯型メディアが挿入されたか否かを判定する（Ｓ２）。この場合、主制御部４０１では、第２表示・操作部１０３において、メディア受付画面でのユーザによる携帯型メディアの選択後に、メディア装着部１０４の、選択された携帯型メディアに対応するメディア挿入スロット３０１に対しての携帯型メディアの挿入をユーザに促す画面を表示するようにしてもよい。
【００４９】
次に主制御部４０１は、Ｓ２において、メディア挿入スロット３０１に対して携帯型メディアが挿入されたことを確認すると、その携帯型メディアからサムネイル画像を読み取り（Ｓ３）、そのサムネイル画像を、図８に示すように、第２表示・操作部１０３に表示させる（Ｓ４）。図８は、第２表示・操作部１０３における、メディア装着部１０４に装着された携帯型メディアが格納する画像データのサムネイル画像の表示状態を示す説明図である。
【００５０】
次に、主制御部４０１は、図８に示した第２表示・操作部１０３の画面において、印刷すべき画像がユーザにより選択され（Ｓ５）、次に、ユーザにより印刷が指示されると（Ｓ６）、Ｓ５において選択された画像についての印刷をプリンタ部４０２に行わせる（Ｓ７）。
【００５１】
その後、主制御部４０１はメディア装着部１０４から携帯型メディアが抜き取られたことを確認すると（Ｓ８）、処理を終了する。
【００５２】
次に、メディア保護処理部５０１が携帯型メディアに格納されている画像データの保護処理を行う場合の複合機１００の動作について説明する。図９は、図５に示した主制御部４０１およびメディア保護処理部５０１の動作に注目した複合機１００の動作を示すフローチャートである。ここでは、メディア装着部１０４に装着された携帯型メディアに格納されている画像データに基づいて印刷が行われるものとする。
【００５３】
主制御部４０１は、メディア装着部１０４と通信することにより、メディア装着部１０４の何れかのメディア挿入スロット３への携帯型メディアの挿入の有無を監視している。
【００５４】
この状態において、何れかのメディア挿入スロット３に携帯型メディアが挿入されると（Ｓ２１）、主制御部４０１は、携帯型メディアに格納されている画像データに基づいてプリンタ部４０２により印刷を行わせる（Ｓ２２）。この場合、主制御部４０１は、携帯型メディアに格納されている画像データを読み出し、その画像データに対して印刷に敵記した画像処理を行った上でプリンタ部４０２に与える。
【００５５】
その後、プリンタ部４０２による印刷が終了すると（Ｓ２３）、主制御部４０１はタイマをスタートさせる（Ｓ２４）。タイマのスタート後、主制御部４０１は、所定時間、例えば３分が経過するまでの間に、メディア装着部１０４からの携帯型メディアの抜き取りの有無を監視する（Ｓ２５，Ｓ２６）。なお、Ｓ２１の動作は図６におけるＳ２の動作に対応し、Ｓ２２の動作は図６におけるＳ３〜Ｓ７の動作に対応するものである。また、タイマは主制御部４０１が備えている。
【００５６】
ここで、Ｓ２４でのタイマのスタート後、所定時間が経過するまでの間に、ユーザによりメディア装着部１０４から携帯型メディアが抜き取られると（Ｓ２５）、主制御部４０１は、タイマを０にリセットし（Ｓ２７）、動作を終了する。
【００５７】
一方、Ｓ２４でのタイマのスタート後、ユーザによるメディア装着部１０４からの携帯型メディアの抜き取りがない状態にて所定時間が経過すると（Ｓ２６）、主制御部４０１はメディア保護処理部５０１によりメディア保護処理を行わせ（Ｓ２７）、その後、タイマをリセットして（Ｓ２８）、処理を終了する。
【００５８】
次に、メディア保護処理部５０１による上記メディア保護処理の具体例について説明する。本実施の形態において、複合機１００では、メディア保護処理として、（１）携帯型メディア内のデータを暗号化する処理（以下、データ暗号化処理と称する）、（２）携帯型メディア内のデータを携帯型メディアから複合機１００に移動させる処理（以下、データ移動処理と称する）、（３）携帯型メディアへのアクセスをロック（禁止）する処理（以下、アクセスロック処理と称する）の何れかを行う。
【００５９】
まず、メディア保護処理として（１）データ暗号化処理を行う場合のメディア保護処理部５０１の動作について説明する。図１０は、図９に示したＳ２７のメディア保護処理としてデータ暗号化処理を行う場合のメディア保護処理部５０１の動作を示すフローチャートである。
【００６０】
図１０に示すように、メディア保護処理部５０１では、メディア装着部１０４のメディア挿入スロット３０１に挿入されている携帯型メディア内のデータを暗号化する（Ｓ４１）。次に、第２表示・操作部１０３において、図１１に示すように、携帯型メディア内のデータを暗号化した旨の表示を行う（Ｓ４２）。なお、第２表示・操作部１０３での表示は、主制御部４０１による第２表示・操作部１０３の制御により行われる。
【００６１】
上記のデータ暗号化処理は、具体的には例えば次のような手順にて行われる。データ暗号化のためのソフトウエアは事前にメディア保護処理部５０１に格納されている。メディア保護処理部５０１は、携帯型メディアからデータを読み出して暗号化し、暗号化したデータを携帯型メディアに格納されてるデータと置き換える処理を行う。なお、携帯型メディア内から読み出して複合機１００内に格納されているデータは消去する。
【００６２】
また、携帯型メディア内の暗号化されたデータの復号化は、例えば次の手順にて行われる。図１１に示した表示を見たユーザは、複合機１００が設置されているコンビニエンスストアの店長など、複合機１００の管理者にその旨を告げる。この連絡を受けた管理者は複合機１００に対してパスワードを入力してデータの復号化を指示する。この指示を受けると、メディア保護処理部５０１は、携帯型メディアから暗号化されたデータを読み出し復号化し、復号化したデータを携帯型メディアに格納されてる暗号化されているデータと置き換える処理を行う。
【００６３】
上記のように、印刷の終了後、複合機１００に装着された状態で所定時間以上放置された携帯型メディア内のデータは暗号化される。したがって、そのような携帯型メディアが第３者により持ち去られた場合であっても、携帯型メディア内のデータが第３者により不正使用される事態を防止することができる。また、ユーザは、携帯型メディア内のデータが暗号化されたことを第２表示・操作部１０３の表示によって知ることができる。
【００６４】
なお、図１０のＳ４１において、携帯型メディアに対するデータ暗号化処理を開始する場合には、それに先立ち、第２表示・操作部１０３において図１２に示す表示を行い、ユーザに対して例えば３０秒後に携帯型メディア内のデータを暗号化する旨を予め通知してもよい。図１２の表示において、「ＯＫ」は３０秒を待たずに即座にデータ暗号化処理を開始する指示を受け付けるためのキーであり、「キャンセル」はデータ暗号化処理を中止する指示を受け付けるためのキーである。これらキーが操作された場合、メディア保護処理部５０１はそれらキー操作に応じた処理を行う。
【００６５】
第２表示・操作部１０３において上記のような表示を行った場合、ユーザに対し、携帯型メディアに対してデータの暗号化が行われる旨の注意を促すことができる。また、第２表示・操作部１０３の表示を見たユーザは、キャンセルキーを操作してデータの暗号化を中止させることができる。
【００６６】
次に、メディア保護処理として（２）データ移動処理を行う場合のメディア保護処理部５０１の動作について説明する。図１３は、図９に示したＳ２７のメディア保護処理としてデータ移動処理を行う場合のメディア保護処理部５０１の動作を示すフローチャートである。
【００６７】
図１３に示すように、メディア保護処理部５０１では、メディア装着部１０４のメディア挿入スロット３０１に挿入されている携帯型メディア内のデータを複合機１００のデータ記憶部５０２に移動させる（Ｓ５１）。この場合、携帯型メディア内のデータは消去する。次に、携帯型メディアからデータ記憶部５０２に移動したデータを暗号化する（Ｓ５２）。次に、第２表示・操作部１０３において、図１４に示すように、携帯型メディア内のデータが複合機１００に移動されている旨の表示を行う（Ｓ５３）。なお、第２表示・操作部１０３での表示は、主制御部４０１による第２表示・操作部１０３の制御により行われる。
【００６８】
上記のデータ移動処理は、具体的には例えば次のような手順にて行われる。メディア保護処理部５０１は、携帯型メディアからデータを読み出してデータ記憶部５０２に記憶させる。この場合にデータは暗号化する。また、携帯型メディア内のデータは消去する。
【００６９】
また、携帯型メディア内から消去したデータを携帯型メディア内に戻す処理は、例えば次の手順にて行われる。図１４に示した表示を見たユーザは、複合機１００の管理者にその旨を告げる。この連絡を受けた管理者は複合機１００に対してパスワードを入力し、携帯型メディアにデータを戻すことを指示する。この指示を受けると、メディア保護処理部５０１は、データ記憶部５０２に格納されている、携帯型メディアから取り込んで暗号化されているデータを復号化し、携帯型メディアに戻す処理を行う。また、データ記憶部５０２内の、携帯型メディアに戻したデータは消去する。
【００７０】
上記のように、印刷の終了後、複合機１００に装着された状態で所定時間以上放置された携帯型メディア内のデータは複合機１００に移動され、携帯型メディア内からは消去される。したがって、そのような携帯型メディアが第３者により持ち去られた場合であっても、携帯型メディア内のデータが第３者により不正使用される事態を防止することができる。また、ユーザは、携帯型メディア内のデータが複合機１００へ移動されたことを第２表示・操作部１０３の表示によって知ることができる。さらに、携帯型メディアからデータ記憶部５０２へ移動されたデータは暗号化されているので、複合機１００を操作する第３者によってデータ記憶部５０２へ移動されたデータが不正使用される事態も防止することができる。これにより、複合機１００に装着されて放置されている状態の携帯型メディアに格納されているデータの不正使用に対する保護機能をさらに高めることができる。
【００７１】
なお、図１３のＳ５１において、携帯型メディアに対するデータ移動処理を開始する場合には、それに先立ち、第２表示・操作部１０３において図１５に示す表示を行い、ユーザに対して例えば３０秒後に携帯型メディア内のデータを複合機１００に移動する旨を予め通知してもよい。図１５の表示において、「ＯＫ」は３０秒を待たずに即座にデータ移動処理を開始する指示を受け付けるためのキーであり、「キャンセル」はデータ移動処理を中止する指示を受け付けるためのキーである。これらキーが操作された場合、メディア保護処理部５０１はそれらキー操作に応じた処理を行う。
【００７２】
第２表示・操作部１０３において上記のような表示を行った場合、ユーザに対し、携帯型メディアに対してデータの移動が行われる旨の注意を促すことができる。また、第２表示・操作部１０３の表示を見たユーザは、キャンセルキーを操作してデータの移動を中止させることができる。
【００７３】
次に、メディア保護処理として（３）アクセスロック処理を行う場合のメディア保護処理部５０１の動作について説明する。図１６は、図９に示したＳ２７のメディア保護処理としてアクセスロック処理を行う場合のメディア保護処理部５０１の動作を示すフローチャートである。
【００７４】
図１６に示すように、メディア保護処理部５０１では、メディア装着部１０４のメディア挿入スロット３０１に挿入されている携帯型メディアに対して、アクセスをロック（禁止）する処理を施す（Ｓ６１）。次に、第２表示・操作部１０３において、図１７に示すように、携帯型メディアへのアクセスがロックされている旨の表示を行う（Ｓ６２）。なお、第２表示・操作部１０３での表示は、主制御部４０１による第２表示・操作部１０３の制御により行われる。
【００７５】
携帯型メディアへのアクセスのロックを解除する処理は、例えば次の手順にて行われる。図１７に示した表示を見たユーザは、複合機１００の管理者にその旨を告げる。この連絡を受けた管理者は複合機１００に対してパスワードを入力し、携帯型メディアへのアクセスのロックを解除することを指示する。この指示を受けると、メディア保護処理部５０１は携帯型メディアへのアクセスのロックを解除する処理を行う。
【００７６】
上記のように、複合機１００に装着された状態で所定時間以上放置された携帯型メディアに対してはアクセスがロックされる。したがって、そのような携帯型メディアが第３者により持ち去られた場合であっても、携帯型メディア内のデータが第３者により不正使用される事態を防止することができる。また、ユーザは、携帯型メディア内のデータに対するアクセスがロックされたを第２表示・操作部１０３の表示によって知ることができる。
【００７７】
なお、図１６のＳ６１において、携帯型メディアに対するアクセスロック処理を開始する場合には、それに先立ち、第２表示・操作部１０３において図１８に示す表示を行い、ユーザに対して例えば３０秒後に携帯型メディアに対するアクセスをロックする旨を予め通知してもよい。図１８の表示において、「ＯＫ」は３０秒を待たずに即座にアクセスロック処理を開始する指示を受け付けるためのキーであり、「キャンセル」はアクセスロック処理を中止する指示を受け付けるためのキーである。これらキーが操作された場合、メディア保護処理部５０１はそれらキー操作に応じた処理を行う。
【００７８】
第２表示・操作部１０３において上記のような表示を行った場合、ユーザに対し、携帯型メディア内のデータに対してアクセスのロックが行われる旨の注意を促すことができる。また、第２表示・操作部１０３の表示を見たユーザは、キャンセルキーを操作してアクセスのロックを中止させることができる。
【００７９】
また、複合機１００は、ユーザが使用する際にユーザ認証機能を用いてユーザ認証を行う構成としてもよい。このような構成では、以上のメディア保護処理を行った場合に、携帯型メディアを複合機１００に装着して複合機１００を使用しているユーザに対して、メディア保護処理の内容に応じた、図１１、図１４あるいは図１７に示した表示の内容を通知するようにしてもよい。この場合の具体的な構成は次のとおりである。
【００８０】
複合機１００の主制御部４０１は、図１９に示すように、ユーザごとのユーザ認証コード、通知先（アドレス）およびメディア保護解除コードを記録した管理情報を有している。この管理情報はデータ記憶部５０２に格納されている。ユーザは図５に示した外部装置５０４、例えば携帯電話を所持している。主制御部４０１は、メディア保護処理が行われた場合に、第２表示・操作部１０３における図１１、図１４あるいは図１７に示した表示内容を、送受信部５０３により外部装置５０４に送信させる。なお、このように外部装置５０４に対する通知動作を行う場合には、第２表示・操作部１０３における図１１、図１４あるいは図１７に示した表示を省略してもよい。
【００８１】
ここで、図９に示した複合機１００の動作は、複合機１００に対してのユーザによる操作の有無を考慮せずに、すなわち複合機１００に対するユーザ操作の有無に関係なくメディア保護処理を行うものとなっている。これに対して、複合機１００は、上記ユーザ操作の有無を考慮した上でメディア保護処理を行う構成であってもよい。次に、図２０に基づいてこの場合の動作について説明する。図２０は、複合機１００に対するユーザ操作の有無を考慮した場合の、図５に示した主制御部４０１およびメディア保護処理部５０１の動作に注目した複合機１００の動作を示すフローチャートである。
【００８２】
主制御部４０１は、メディア装着部１０４と通信することにより、メディア装着部１０４の何れかのメディア挿入スロット３への携帯型メディアの挿入の有無を監視している。
【００８３】
この状態において、何れかのメディア挿入スロット３に携帯型メディアが挿入されると（Ｓ７１）、主制御部４０１はタイマをスタートさせる（Ｓ７２）。タイマのスタート後、主制御部４０１は、所定時間、例えば３分が経過するまでの間に、ユーザによる複合機１００に対しての何らかの操作の有無、メディア装着部１０４からの携帯型メディアの抜き取りの有無を監視する（Ｓ７３〜Ｓ７５）。なお、Ｓ７１の動作は、図６におけるＳ２の動作に対応するものである。また、タイマは主制御部４０１が備えている。なお、タイマが計時する所定時間は、メディア挿入スロット３０１に携帯型メディアが挿入（Ｓ７１）されてからの所定時間と、印刷終了後（Ｓ８０）からの所定時間とが異なるように適宜設定されていてもよい。
【００８４】
ここで、Ｓ７２でのタイマのスタート後、所定時間が経過するまでの間に、ユーザにより複合機１００に対して何らかの操作が行われ（Ｓ７３）、その操作が印刷の指示であると（Ｓ７８）、主制御部４０１は、例えば携帯型メディアに格納されているデータに基づいて、プリンタ部４０２により印刷を行わせる（Ｓ７９）。この印刷での処理は、図６におけるＳ３〜Ｓ７の処理に相当する。その後、印刷が終了すると（Ｓ８０）、主制御部４０１は、タイマを０にリセットし（Ｓ８１）、Ｓ７２に戻って再度タイマをスタートさせる。
【００８５】
一方、Ｓ７８において、ユーザによる複合機１００に対しての操作が印刷の指示でなければ、主制御部４０１は、タイマを０にリセットし（Ｓ８１）、Ｓ７２に戻って再度タイマをスタートさせる。
【００８６】
また、Ｓ７２でのタイマのスタート後、所定時間が経過するまでの間に、Ｓ７４においてメディア装着部１０４から携帯型メディアが抜き取られると、主制御部４０１は、タイマを０にリセットし（Ｓ７７）、動作を終了する。
【００８７】
一方、Ｓ７２でのタイマのスタート後、所定時間が経過するまでの間に、ユーザによる複合機１００に対しての何らかの操作、およびメディア装着部１０４からの携帯型メディアの抜き取りがなければ、主制御部４０１はメディア保護処理部５０１によりメディア保護処理を行わせ（Ｓ７６）、その後、タイマをリセットして（Ｓ７７）、処理を終了する。なお、Ｓ７６でのメディア保護処理は図９に示したＳ２７でのメディア保護処理に相当するものである。
【００８８】
上記のように、図２０に示した複合機１００の動作では、複合機１００のメディア装着部１０４に携帯型メディアが挿入された後、複合機１００に対してユーザから何らかの操作がされないまま、あるいは複合機１００から携帯型メディアが抜き取られないまま（複合機１００に携帯型メディアが装着された状態で放置されたまま）所定時間が経過した場合に、メディア保護処理を行うものとなっている。また、複合機１００のメディア装着部１０４に挿入された携帯型メディア内のデータに基づいて印刷が行われ、その印刷の終了後、複合機１００に対してユーザから何らかの操作がされないまま、あるいは複合機１００から携帯型メディアが抜き取られないまま（複合機１００に携帯型メディアが装着された状態で放置されたまま）所定時間が経過した場合に、メディア保護処理を行うものとなっている。したがって、複合機１００に装着されて所定時間放置された状態の携帯型メディアが第３者により持ち去られた場合であっても、携帯型メディア内のデータが第３者により不正使用される事態を防止することができる。
【００８９】
なお、上記の例では、メディア保護処理として、データ暗号化処理、データ移動処理およびアクセスロック処理を個々に行うものとなっているが、これらのうち、複数のメディア保護処理を組み合わせて行う構成であってもよい。
【００９０】
また、図２０では、印刷動作（Ｓ７９）を例にして説明したが、この印刷動作に代えて、例えば複合機１００からの外部装置の送信動作であってもよい。この場合、複合機１００は、メディア装着部１０４に装着された携帯型メディア内のデータを、操作部１０１からの入力を受けた主制御部４０１の制御により、送受信部５０３を介して、例えば電子メールあるいはファクシミリ等により、外部装置５０４に送信する機能を有する。
【００９１】
また、上記の各例では、携帯型メディアを複合機１００に装着してからの所定時間以内のユーザによる複合機１００に対しての操作の有無もしくは携帯型メディアの抜き取りの有無、または印刷終了後からの所定時間以内のユーザによる複合機１００に対しての操作の有無もしくは携帯型メディアの抜き取りの有無に基づいてメディア保護処理の要否を決定している。しかしながら、これに代えて、例えば、ユーザが所定時間を超えて複合機１００から所定範囲以上離れている状態の有無に基づいてメディア保護処理の要否を決定してもよい。具体的には、複合機１００の前面（ユーザ操作側面）にユーザの有無を検出する検出手段（例えば人検知赤外線センサ）を設け、検出手段によりユーザが複合機１００から所定時間を超えて離れている状態が検出された場合に、メディア保護処理を行う構成である。上記検出手段は、例えば複合機１００から所定距離範囲内における人の有無を検出するものである。
【００９２】
また、以上の説明では、複合機１００への携帯型メディアの接続をメディア装着部１０４の携帯型メディアの装着として説明している。
【００９３】
最後に、本実施の形態の情報処理装置を構成する複合機１００の各ブロックのうち、特に主制御部４０１およびメディア保護処理部５０１は、ハードウェアロジックによって構成してもよいし、次のようにＣＰＵを用いてソフトウェアによって実現してもよい。
【００９４】
すなわち、主制御部４０１およびメディア保護処理部５０１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである主制御部４０１およびメディア保護処理部５０１の制御プログラムのプログラムコード（実行形式プログラム、中間コードプログラム、ソースプログラム）をコンピュータで読み取り可能に記録した記録媒体を、上記主制御部４０１およびメディア保護処理部５０１に供給し、そのコンピュータ（またはＣＰＵやＭＰＵ）が記録媒体に記録されているプログラムコードを読み出し実行することによっても、達成可能である。
【００９５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９６】
また、主制御部４０１およびメディア保護処理部５０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９８】
１００    複合機（画像形成装置）
１０１    操作部（入力操作手段）
１０２    第１表示・操作部
１０３    第２表示・操作部
１０４    メディア装着部（記録媒体接続手段）
１０５    スキャナ部
３０１    メディア挿入スロット
４０１    主制御部（制御部、情報処理部、接続検出部）
４０２    プリンタ部
５０１    メディア保護処理部（記録媒体保護処理部）
５０２    データ記憶部（情報記憶手段）
５０３    送受信部（送受信手段）
５０４    外部装置
【図１】
2010166490.tif 000003
【図２】
2010166490.tif 000004
【図３】
2010166490.tif 000005
【図４】
2010166490.tif 000006
【図５】
2010166490.tif 000007
【図６】
2010166490.tif 000008
【図７】
2010166490.tif 000009
【図８】
2010166490.tif 000010
【図９】
2010166490.tif 000011
【図１０】
2010166490.tif 000012
【図１１】
2010166490.tif 000013
【図１２】
2010166490.tif 000014
【図１３】
2010166490.tif 000015
【図１４】
2010166490.tif 000016
【図１５】
2010166490.tif 000017
【図１６】
2010166490.tif 000018
【図１７】
2010166490.tif 000019
【図１８】
2010166490.tif 000020
【図１９】
2010166490.tif 000021
【図２０】
2010166490.tif 000022